(57)【要約】【課題】大容量記憶装置に多数の楽曲が記憶されている場合、楽曲毎に予め設定された再生情報を検索するための時間がかかり、楽曲が途切れるという問題がある。【解決手段】大容量記憶装置を備えたオーディオ信号再生装置において、再生条件を設定する再生条件設定ボタンと再生条件に基づくＭＰ３ファイルの再生を指示する特殊再生ボタンとを備え、ＭＰ３ファイルを伸長し設定さたれ再生条件に基づいてオーディオ信号を出力する信号処理部と、前記オーディオ信号を出力する出力部と、再生条件設定ボタンにより再生条件が設定された場合にＭＰ３ファイルのＩＤ３タグ情報に再生条件を格納して大容量記憶装置に記憶し、特殊再生ボタンが押された場合に大容量記憶装置に記憶されたＭＰ３ファイルのＩＤ３タグ情報の再生条件に基づいて信号処理部に当該ＭＰ３ファイルを再生させる制御を行う制御部とを備える。【選択図】      図１
2007102888.tif 000002
【特許請求の範囲】
【請求項１】
ＭＰ３ファイルを記憶する大容量記憶装置を備えたオーディオ信号再生装置において、頭出し位置、ループ再生範囲又は再生速度の再生条件を設定する再生条件設定ボタンと前記再生条件に基づくＭＰ３ファイルの再生を指示する特殊再生ボタンとを備えた操作部と、ＭＰ３ファイルに伸長処理を施しデジタルオーディオ信号に変換し設定された再生条件に基づいて当該デジタルオーディオ信号を出力すると共にＭＰ３ファイルのＩＤ３タグ情報に再生条件を再生情報として格納する信号処理部と、前記信号処理部から出力さたれデジタルオーディオ信号をアナログオーディオ信号に変換して出力する出力部と、前記再生条件設定ボタンにより再生条件が設定された場合に当該ＭＰ３ファイルのＩＤ３タグ情報に前記再生情報を格納して当該ＭＰ３ファイルを前記大容量記憶装置に記憶し、前記大容量記憶装置に記憶されたＭＰ３ファイルが選択され前記特殊再生ボタンが押された場合に当該ＭＰ３ファイルのＩＤ３タグ情報の再生情報に基づいて前記信号処理部に当該ＭＰ３ファイルを再生させる制御を行う制御部とを備えたことを特徴とするオーディオ信号再生装置。
【発明の詳細な説明】
【技術分野】
【０００１】
本発明は、オーディオ信号を再生するオーディオ信号再生装置に関する。
【背景技術】
【０００２】
近年、音楽情報を記録するコンパクトディスク（Compact Disc：ＣＤ）を再生するＣＤプレーヤにおいて、ＭＰ３（Moving Picture Expert Group Layer-3）フォーマットのオーディオ信号（以下、「ＭＰ３ファイル」という。）を記録したＣＤ−Ｒ（Compact Disc−Rewritable）を再生するＣＤプレーヤが普及している。また、ハードディスクなどの大容量記憶装置にＭＰ３ファイルを記憶し、多数の楽曲を再生することができるハードディスクプレーヤも普及し始めている。
【０００３】
いわゆるクラブ等で楽曲をさまざまな方法で再生するＤＪ（ディスクジョッキー）は、ディスク再生装置を２台用意し、それらを交互に再生させることにより、複数の楽曲を途切れなく連続して再生する操作を行う。近年では、このようなＤＪが使用するディスク再生装置として、前述したようなＭＰ３ファイルを記録したディスクを再生するＣＤプレーヤやＭＰ３ファイルを記録したハードディスクプレーヤも使用し始めている。
【０００４】
ＤＪは、楽曲を途切れなく再生するために、次に再生する楽曲のビートのある位置を頭出し位置に設定し、その部分で楽曲をつなげたり、次に再生する楽曲の特徴のある部分をループ再生しながらつなげたり、現在再生している楽曲のテンポと同じテンポになるように次に再生する楽曲の再生速度を変化させてつなげたりする。このような場合、頭出し位置の設定、ループ再生の設定、楽曲の再生速度を変化させることに時間がかかると、現在再生している楽曲が終了してしまい、楽曲が途切れてしまう。
【０００５】
楽曲を途切れなく連続して再生する場合、次に再生するＣＤの再生開始位置等の設定時間を短縮するために、予めＣＤ毎に設定した認識情報およびトラック番号と、頭出し位置やループ再生位置や再生速度などの情報を不揮発性メモリに登録し、次に、そのＣＤがＣＤプレーヤに装填された場合に、不揮発性メモリに登録されている識別情報と同じＣＤが装填されたと判断した際に、トラック毎に頭出し位置やループ再生位置や再生速度の設定を自動的に行う光ディスク再生装置が、例えば特許文献１に開示されている。
【０００６】
【特許文献１】特開平１１−１２０６７２
【発明の開示】
【発明が解決しようとする課題】
【０００７】
しかしながら、ハードディスクプレーヤにおいてハードディスクなどの大容量記憶装置に多数の楽曲が記憶されている場合、前述した特許文献１のように楽曲毎に頭出し位置やループ再生範囲や再生速度等の情報を不揮発性メモリに記憶しても、楽曲を選択した際に、選択された楽曲の識別番号が不揮発性メモリに登録されているか否かを検索するための時間がかかり、また、既に再生条件が設定されている楽曲に対して新たに再生条件を追加する場合に再生条件の再設定するための時間がかかり、その間に楽曲の再生が途切れるという問題がある。また、大容量記憶装置に記憶されている楽曲に対応する頭出し位置やループ再生範囲や再生速度等の情報を不揮発性メモリに記憶するには、大容量の不揮発性メモリが必要になるという問題がある。
【０００８】
本発明は、大容量記憶装置に多数の楽曲が記憶されている場合でも、大容量の不揮発性メモリを備える必要なく、選択された楽曲を短時間で検索し、当該選択された楽曲の再生条件を設定することができるオーディオ信号再生装置を提供することを目的とする。
【課題を解決するための手段】
【０００９】
本発明は、ＭＰ３ファイルを記憶する大容量記憶装置を備えたオーディオ信号再生装置において、頭出し位置、ループ再生範囲又は再生速度の再生条件を設定する再生条件設定ボタンと前記再生条件に基づくＭＰ３ファイルの再生を指示する特殊再生ボタンとを備えた操作部と、ＭＰ３ファイルに伸長処理を施しデジタルオーディオ信号に変換し設定された再生条件に基づいて当該デジタルオーディオ信号を出力すると共にＭＰ３ファイルのＩＤ３タグ情報に再生条件を再生情報として格納する信号処理部と、前記信号処理部から出力さたれデジタルオーディオ信号をアナログオーディオ信号に変換して出力する出力部と、前記再生条件設定ボタンにより再生条件が設定された場合に当該ＭＰ３ファイルのＩＤ３タグ情報に前記再生情報を格納して当該ＭＰ３ファイルを前記大容量記憶装置に記憶し、前記大容量記憶装置に記憶されたＭＰ３ファイルが選択され前記特殊再生ボタンが押された場合に当該ＭＰ３ファイルのＩＤ３タグ情報の再生情報に基づいて前記信号処理部に当該ＭＰ３ファイルを再生させる制御を行う制御部とを備えたことを特徴とする。
【発明の効果】
【００１０】
本発明によれば、大容量記憶装置を備えたオーディオ信号再生装置において、大容量記憶装置に多数の楽曲が記憶されている場合でも、大容量の不揮発性メモリを備える必要なく、選択された楽曲を短時間で検索し、当該選択された楽曲の再生条件を設定することができる。
【発明を実施するための最良の形態】
【００１１】
図１は、本発明のオーディオ信号再生装置の一実施形態の概略構成を示すブロック図である。
本実施形態においては、ＭＰ３ファイルを記録したＣＤ−Ｒを再生するディスク再生部と、多数のＭＰ３ファイルを記憶した大容量記憶装置を備えたオーディオ信号再生装置を例に挙げて説明する。
図１において、オーディオ信号再生装置は、ディスク再生部１、ハードディスク（Hard Disc：ＨＤ）装置２、信号処理部３、不揮発性メモリ４、ＲＡＭ（Random Access Memory）５、出力部６、操作部７、制御部８を備える。
【００１２】
ディスク再生部１は、装填された光ディスクから記録されているＭＰ３ファイルを読み出し、当該ＭＰ３ファイルを信号処理部３に出力する。
【００１３】
ＨＤ装置２は、ＨＤ（図示せず）へのＭＰ３ファイルの書き込み、および、ＨＤからのＭＰ３ファイルの読み出しを制御するＨＤコントローラ（図示せず）を備える。ＨＤ装置２は、多数の楽曲のＭＰ３ファイルを記憶し、後述する制御部８の制御に基づいて指定された楽曲のＭＰ３ファイルを読み出し、信号処理部３に出力する。
【００１４】
信号処理部３は、例えば、デジタルシグナルプロセッサ（Digital Signal Processor：ＤＳＰ）である。信号処理部３は、後述する制御部８の制御に基づいて、ディスク再生部１又はＨＤ装置２から出力されたＭＰ３ファイルをＲＡＭ５に一時記憶し、ＲＡＭ５からＭＰ３ファイルを読み出し、当該ＭＰ３ファイルに伸長等の信号処理を施し、伸長したオーディオ信号を出力部６に出力する。信号処理部３は、後述する制御部８の制御に基づいて、ＨＤ装置２に格納されているＭＰ３ファイルに対し、頭出し位置、ループ再生範囲又は再生速度に関する再生情報をＭＰ３ファイルに格納し、ＨＤ装置２に記憶させる。信号処理部３は、後述する制御部８の制御により、設定された再生情報に基づいて伸長したオーディオ信号を特定の位置から再生したり（頭出し再生）、特定の範囲を繰り返し再生したり（ループ再生）、特定の再生速度でオーディオ信号を再生する（再生速度可変再生）。
【００１５】
ＲＡＭ５は、信号処理部３の制御により、ディスク再生部１又はＨＤ装置２から読み出されたＭＰ３ファイル、または、信号処理部３により伸長されたオーディオ信号を一時記憶する。
【００１６】
不揮発性メモリ４は、後述する制御部８の制御に基づいて、ディスク再生部１から読み出されたＭＰ３ファイルに関する頭出し位置、ループ再生範囲又は再生速度の再生情報を、当該ＭＰ３ファイルを識別する識別情報と共に記憶する。
【００１７】
出力部６は、信号処理部３から出力されたデジタルオーディオ信号をアナログオーディオ信号に変換して出力する。
【００１８】
操作部７は、ディスク再生部１から出力されたオーディオ信号（ＭＰ３ファイル）の再生開始や再生停止、あるいは、ＨＤ装置２に記憶されているオーディオ信号（ＭＰ３ファイル）の再生開始や再生停止の指示、再生待機を指示するボタンを備える。操作部７は、ディスク再生部１のオーディオ信号を再生するかＨＤ装置２のオーディオ信号を再生するかを切り替える切替ボタンを備える。操作部７は、オーディオ信号の頭出し位置、ループ再生範囲、再生速度の設定を入力する再生条件設定ボタンを備える。操作部７は、再生条件が設定された場合に、当該再生条件の情報を不揮発性メモリ４又はＨＤ装置２のＭＰ３ファイルの再生情報として更新するか否かを指示する再生条件設定ボタンを備える。操作部７は、設定された再生条件に基づいてオーディオ信号の再生を開始する指示を入力する特殊再生ボタンを備える。操作部７は、ユーザによりボタンが操作されると、操作されたボタンに対応する指示信号を後述する制御部８に出力する。
【００１９】
制御部８は、当該オーディオ信号再生装置全体を制御する。制御部８は、操作部７からの指示信号に基づいてディスク再生部１又はＨＤ装置２の切り替えを行うと共に、信号処理部３によりＭＰ３ファイルのオーディオ信号を再生し出力する制御を行う。制御部８は、操作部７からの指示信号により、頭出し位置、ループ再生範囲又は再生速度の入力があった場合には、それらの情報を再生情報として不揮発性メモリ４又はＨＤ装置２に記憶する制御を行う。制御部８は、不揮発性メモリ４又はＨＤ装置２に記憶された再生情報に基づいて信号処理部３を制御し、当該再生情報に対応した頭出し位置、ループ再生範囲又は再生速度でオーディオ信号を再生するよう制御を行う。
【００２０】
次に、本実施形態のオーディオ信号再生装置の動作について説明する。
最初に、ディスク再生部１によりＣＤ−Ｒに記録されたＭＰ３ファイルを再生する場合の動作について説明する。
操作部７の切替ボタンによりＣＤが選択され、操作部７の再生待機のボタンが押された場合、制御部８は、ディスク再生部１を制御し、光ディスクからＭＰ３ファイルを読み出す。読み出されたＭＰ３ファイルは、信号処理部３に入力されＲＡＭ５に記憶される。
【００２１】
信号処理部３は、制御部８からのデータ読み出し開始の制御信号が入力するまで、ＲＡＭ５からのデータの読み出しを待機する。
【００２２】
操作部７において再生開始のボタンが押されると、制御部８は、信号処理部３に再生開始の制御信号を出力する。信号処理部３は、制御部８からの再生開始の制御信号に基づいて、ＲＡＭ５に記憶されているＭＰ３ファイルを順次読み出し、当該ＭＰ３ファイルに伸長処理を施す。伸長されたオーディオ信号は、出力部６に出力される。出力部６は、入力したデジタルオーディオ信号をアナログオーディオ信号に変換し出力する。
【００２３】
操作部７により、頭出し位置、ループ再生範囲、再生速度が設定された場合の動作について説明する。
操作部７の切替ボタンによりＣＤが選択され、ＣＤから読み出されたオーディオ信号について頭出しの位置の設定、ループ再生範囲の設定、再生速度の設定が行われ、操作部７の再生条件設定ボタンが押されると、制御部８は、設定された頭出しの位置、ループ再生範囲、再生速度を示す再生情報を、当該ＣＤを特定する識別情報と共に不揮発性メモリ４に記憶する。
【００２４】
図２は、本実施例の再生装置における不揮発性メモリに記憶される再生情報を示す図である。
図２において、不揮発性メモリ４に記憶される当該再生情報は、トラックを特定する情報が１０バイト目と１１バイト目に配置され、頭出し位置を特定する情報が１２バイト目〜１４バイト目に配置され、再生速度を特定する情報が１５バイト目に配置され、ループ再生範囲を特定する情報が１７バイト目〜２２バイト目に配置され、その他の必要な情報は他の位置に配置される。
【００２５】
当該ＣＤを特定する識別情報は、３バイト目〜９バイト目に配置される。識別情報は、例えば、ＣＤのサブコードのＴＯＣ（Table Of Contents）情報から得られる先頭トラックと最終トラックのトラック番号、および、リードアウト開始時間と各トラックの開始時間を足したＴＯＣデータチェックサム等の７バイトである。
【００２６】
次に同じＣＤがオーディオ信号再生装置に装填された場合、制御部８は、装填さたれＣＤからＴＯＣ情報を読み取り、前述した７バイトの識別情報を作成し、当該識別情報と不揮発性メモリ４に記憶してある識別情報が一致するか否かを確認する。一致した場合は、不揮発性メモリ４に記憶されている当該ＣＤの再生情報に基づいて、信号処理部３に、頭出し位置、ループ再生範囲又は再生速度の再生条件を自動的に設定する。
【００２７】
そして、操作部７により特殊再生ボタンが押されると制御部８は、信号処理部３に特殊再生を指示する制御信号を出力する。信号処理部３は、ＲＡＭ５に記憶されたＭＰ３ファイルを読み出し伸長し、信号処理部３に設定された設定条件に基づいて伸長したオーディオ信号を出力部６に出力する。出力部６は、信号処理部３から入力したデジタルオーディオ信号をアナログオーディオ信号に変換して出力する。
【００２８】
次に、ＨＤ装置２により記憶されたＭＰ３ファイルを再生する場合の動作について説明する。
図３は、本実施例のオーディオ信号再生装置におけるＩＤ３タグ情報のテキストフレームを説明する図である。
ＭＰ３ファイルなどの圧縮ファイルには、オーディオ信号の圧縮データとは別に付加データとしてＩＤ３タグというフォーマットが定義されている。本実施例では、ＩＤ３タグｖ２．３のフォーマットを用いて説明する。
【００２９】
ＩＤ３タグ情報には、テキスト情報を格納するテキストフレームの中で「ＴＸＸＸ」でのコードで示されるユーザ定義文字情報フレームがある。当該フレームは、特定された定義がなく、ユーザにより定義が可能なフレームである。
【００３０】
操作部７の切替ボタンによりＨＤ装置２が選択されると、ＨＤ装置２に記憶されているＭＰ３ファイルが読み出され信号処理部３に入力する。当該ＭＰ３ファイルにおいて頭出し位置、ループ再生範囲、再生速度の設定がされ、再生条件設定ボタンが押された場合、制御部８は、ＩＤ３タグ情報のテキストフレーム中に「ＴＸＸＸ」のコードが存在するか否かを確認する。
【００３１】
ＨＤ装置２に記憶されたＭＰ３ファイルに「ＴＸＸＸ」のコードの情報がない場合、表示部に「ＭＥＭＯ  ＩＮＳＥＲＴ  ＯＫ」と表示し、再生情報をＩＤ３タグ情報のテキストフレームに付加してもよいか否かを問い合わせる。
【００３２】
ＨＤ装置２に記憶されたＭＰ３ファイルに「ＴＸＸＸ」のコードの情報があった場合、制御部８は、当該ＩＤ３タグ情報のテキストフレームの再生情報を新たに設定された再生情報に更新する制御を行う。
【００３３】
予め定めた時間内に操作部７により再生情報をＩＤ３タグ情報のテキストフレームに付加することの許可を示すボタンが押されなかった場合、制御部８は、ＭＰ３ファイルのＩＤ３タグ情報を更新せずに処理を終了する。予め定めた時間内に再生情報をＩＤ３タグ情報のテキストフレームに付加することの許可を示すボタンが押された場合、制御部８は、信号処理部３を制御し、信号処理部３により再生情報をＩＤ３タグ情報のテキストフレームに付加する処理を行う。
【００３４】
ＩＤ３タグ情報のテキストフレームには、図３に示すように、１バイト目〜１７バイト目に、ＩＤ３タグのｖ２．３フォーマットで定められたヘッダー情報を格納する。信号処理部３は、「ＴＸＸＸ」のユーザ定義文字情報フレームは、当該フレームに格納されている情報の内容を説明する情報をデータの前に格納する。また、信号処理部３は、１２バイト目〜１７バイト目に、この装置に関連した再生情報が格納されていることを示す「ＤＪＭＥＭＯ」を格納する。
【００３５】
次に、図２に示した再生情報を作成し、再生情報を作成した後、信号処理部３は、当該再生情報を「ＴＸＸＸ」のユーザ定義文字情報フレームの１８バイト目〜３５バイト目に格納する。これにより、選択されたＭＰ３ファイルに関し、ユーザにより設定された再生条件が再生情報としてＭＰ３ファイル自体に格納される。このため、ＨＤ装置２に記憶されたＭＰ３ファイルの再生情報を不揮発性メモリ４に記憶する必要がないため、不揮発性メモリ４の容量を大きくする必要がない。
【００３６】
ＭＰ３ファイルのＩＤ３タグ情報が完成した後、信号処理部３は、当該ＭＰ３ファイルをＨＤ装置２に更新する。ＭＰ３ファイルを更新した後、制御部８は、表示部に「ＣＯＭＰＬＥＴＥ」を表示し終了する。
【００３７】
次に、当該ＭＰ３ファイルが選択された場合の動作について説明する。
ユーザが操作部７により当該ＭＰ３ファイルを選択し、再生条件設定ボタンを押すと、制御部８は、当該ＭＰ３ファイルのＩＤ３タグ情報のテキストフレームの中に「ＴＸＸＸ」のコードがあるか否かを確認する。
【００３８】
ＩＤ３タグ情報のテキストフレームの中に「ＴＸＸＸ」のコードがある場合、制御部８は、表示部に「ＭＥＭＯ  ＣＡＬＬ」を表示し、当該オーディオ信号再生装置を再生情報に合わせた設定にしてもよいか否かを問い合わせる。
【００３９】
再度、再生条件設定ボタンが押された場合、制御部８は、信号処理部３を制御し、当該ＭＰ３ファイルのＩＤ３タグ情報のテキストフレームに格納されている再生情報を読み出し、当該再生情報に基づいて信号処理部３に再生条件を設定する。そして、操作部７により特殊再生ボタンが押された場合、信号処理部３は、設定された再生条件に基づいてＭＰ３ファイルを伸長し、伸長したオーディオ信号を出力部６から出力させる。
【００４０】
このことにより、ＨＤ装置２に記憶されたＭＰ３ファイルについて頭出し再生、ループ再生、再生速度を変えた再生を行う際に、当該ＭＰ３ファイル自体に格納されている再生情報に基づいて特殊再生を行うことができるため、不揮発性メモリ４の再生情報を検索する必要がなく、短時間で予め設定された再生条件に基づいてオーディオ信号を再生を行うことができる。
【００４１】
以上のように、ＨＤ装置のような大容量記憶装置に多数のＭＰ３ファイルが存在する場合であっても、各ＭＰ３ファイルのＩＤ３タグ情報のテキストフレームに再生情報を格納し、ＭＰ３ファイルを再生するときにＩＤ３タグ情報のテキストフレームに格納された再生条件に基づいて、頭出し位置、ループ再生、再生速度の条件を自動的に設定し、ＭＰ３ファイルの再生を行うため、ＭＰ３ファイルを選択して再生する毎に、再生条件を設定する必要がなく、短時間で設定された再生条件を設定することができ、楽曲と楽曲とを連続的に再生する場合に、再生中の楽曲につなげて再生することができる。また、不揮発性メモリに再生条件を記憶する必要がないため、大容量の不揮発性メモリを必要としない。
【図面の簡単な説明】
【００４２】
【図１】本発明のオーディオ信号再生装置の一実施形態の概略構成を示すブロック図。
【図２】本実施例の再生装置における不揮発性メモリに記憶される再生情報を示す図。
【図３】本実施例のオーディオ信号再生装置におけるＩＤ３タグ情報のテキストフレームを説明する図。
【符号の説明】
【００４３】
１・・・ディスク再生部、２・・・ＨＤ装置、３・・・信号処理部、４・・・不揮発性メモリ、５・・・ＲＡＭ、６・・・出力部、７・・・操作部、８・・・制御部。
【図１】
2007102888.tif 000003
【図２】
2007102888.tif 000004
【図３】
2007102888.tif 000005